(57)【要約】【課題】  簡易な構成で、ＵＨＦ帯域及びＶＨＦ帯域の放送波を受信し、適切な受信処理を行う。【解決手段】  利用者により「Ｖ−ＬＯＷデジタルＴＶ放送」が指定されると、制御ユニット１９０Ａが、ＦＭアンテナ１１２Fから送られる受信信号ＲＦＳFをＴＶ用ＲＦ処理ユニット１３１4へ送ることを指定する選択制御指令ＳＬＳ1を第１選択ユニット１２１へ送る。この結果、再生処理ユニット１４０Ａにより、Ｖ−ＬＯＷデジタル放送に対するＴＶ用再生処理が行われる。また、利用者により「ＵＨＦデジタルＴＶ放送」が指定されると、制御ユニット１９０Ａは、ＵＨＦアンテナ１１１U4から送られる受信信号ＲＦＳU4をＴＶ用ＲＦ処理ユニット１３１4へ送ること指定する選択制御指令ＳＬＳ1を第１選択ユニット１２１へ送る。この結果、再生処理ユニット１４０Ａにより、ＵＨＦデジタル放送波に対するＴＶ用再生処理が行われる。【選択図】  図１
2014204178.tif 000002
【特許請求の範囲】
【請求項１】
ＵＨＦ帯域の放送波を受信するための第１アンテナから供給される第１受信信号、並びに、ＶＨＦ帯域及びＦＭ放送帯域の放送波を受信するための第２アンテナから供給される第２受信信号に基づいて、再生処理を行う放送受信装置であって、
前記第１受信信号及び前記第２受信信号について、利用者に指定された一方に対して選局処理を行う第１選局処理部と；
前記第２受信信号に対する選局処理を行う第２選局処理部と；
前記第１受信信号及び前記第２受信信号の前記第１選局処理部及び前記第２選局処理部への供給を制御する第１制御を行う制御部と；を備え、
前記制御部は、前記第１制御に際して、前記第１選局処理部により選局処理すべき受信信号として前記第２受信信号が利用者により指定された場合に、少なくとも前記第１選局処理部に対して前記第２受信信号を供給させる、
ことを特徴とする放送受信装置。
【請求項２】
前記第２受信信号に含まれるＦＭ放送帯域における特定目的のデータ放送の再生処理のための選局処理を行う第３選局処理部と；
前記第２受信信号に含まれるＶ−ＬＯＷ帯域における前記特定目的のデータ放送の再生処理のための選局処理を行う第４選局処理部と；を更に備え、
前記制御部は、前記第１制御と並行して、前記第３選局処理部及び前記第４選局処理部のいずれかに択一的に前記第２受信信号を供給させる第２制御を行う、
ことを特徴とする請求項１に記載の放送受信装置。
【請求項３】
移動体に配置され、
前記Ｖ−ＬＯＷ帯域における前記特定目的のデータ放送が再生可能なエリア情報を記憶する記憶部を更に備え、
前記制御部は、前記エリア情報、及び、前記移動体の現在位置を検出する位置検出部から取得した前記移動体の現在位置情報に基づいて、前記第２制御を行う、
ことを特徴とする請求項２に記載の放送受信装置。
【請求項４】
前記制御部は、前記Ｖ−ＬＯＷ帯域における前記特定目的のデータ放送を再生可能か否かの判定を行い、前記判定の結果に基づいて、前記第２制御を行う、ことを特徴とする請求項２又は３に記載の放送受信装置。
【請求項５】
前記特定目的のデータ放送は、道路交通情報を内容とする放送である、ことを特徴とする請求項２〜４のいずれか一項に記載の放送受信装置。
【請求項６】
前記制御部は、前記第１制御に際して、
前記第１選局処理部により選局処理すべき受信信号として前記第２受信信号が利用者により指定された場合には、前記第１選局処理部のみに対して前記第２受信信号を供給させ、
前記第１選局処理部により選局処理すべき受信信号として前記第１受信信号が利用者により指定された場合には、前記第１選局処理部に対して前記第１受信信号を供給させるとともに、前記第２選局処理部に対して前記第２受信信号を供給させる、
ことを特徴とする請求項１〜５のいずれか一項に記載の放送受信装置。
【請求項７】
前記第１選局処理部は、テレビジョン放送の再生のための選局処理を行い、
前記第２選局処理部は、ＦＭ音声放送の再生のための選局処理を行う、
ことを特徴とする請求項１〜６のいずれか一項に記載の放送受信装置。
【請求項８】
ＵＨＦ帯域の放送波を受信するための第１アンテナから供給される第１受信信号、及び、ＶＨＦ帯域及びＦＭ放送帯域の放送波を受信するための第２アンテナから供給される第２受信信号について、利用者に指定された一方に対して選局処理を行う第１選局処理部と；前記第２受信信号に対する選局処理を行う第２選局処理部と；を備える放送受信装置において使用される放送受信方法であって、
利用者から選局処理すべき受信信号の指定を取得する取得工程と；
前記取得工程における取得結果に基づいて、前記第１受信信号及び前記第２受信信号の前記第１選局処理部及び前記第２選局処理部への供給を制御する制御工程と；を備え、
前記制御工程では、前記第１選局処理部により選局処理すべき受信信号として前記第２受信信号が利用者により指定された場合に、少なくとも前記第１選局処理部に対して前記第２受信信号を供給させる、
ことを特徴とする放送受信方法。
【請求項９】
ＵＨＦ帯域の放送波を受信するための第１アンテナから供給される第１受信信号、並びに、ＶＨＦ帯域及びＦＭ放送帯域の放送波を受信するための第２アンテナから供給される第２受信信号に基づいて再生処理を行う放送受信装置が有するコンピュータに、請求項８に記載の放送受信方法を実行させる、ことを特徴とする放送受信プログラム。
【請求項１０】
ＵＨＦ帯域の放送波を受信するための第１アンテナから供給される第１受信信号、並びに、ＶＨＦ帯域及びＦＭ放送帯域の放送波を受信するための第２アンテナから供給される第２受信信号に基づいて再生処理を行う放送受信装置が有するコンピュータにより読み取り可能に、請求項９に記載の放送受信プログラムが記録されている、ことを特徴とする記録媒体。
【発明の詳細な説明】
【技術分野】
【０００１】
本発明は、放送受信装置、放送受信方法、放送受信プログラム、及び、当該放送受信プログラムが記録された記録媒体に関する。
【背景技術】
【０００２】
近年、地上テレビジョン放送については、ＶＨＦ（Very High Frequency）の周波数帯域を使用するアナログ放送から、ＵＨＦ（Ultra High Frequency）の周波数帯域を使用するデジタル放送へと移行した。そして、地上アナログテレビジョン放送の停波により空き周波数帯域となったＶＨＦ帯域については、マルチメディア放送等のデジタル放送への割当てが検討されている。こうした近年における放送電波の周波数の再割当てに対応して、ＵＨＦ帯域及びＶＨＦ帯域のデジタル放送波を受信して処理するための技術が提案されている（特許文献１参照：以下、「従来例」と呼ぶ）。
【０００３】
この従来例の技術では、ＵＨＦ帯域のデジタル放送波を受信するための２つのアンテナ（以下、「ＵＨＦアンテナ」ともいう）と、当該２つのＵＨＦアンテナのそれぞれに対応して接続される２つのＵＨＦ受信部と、ＶＨＦ帯域の放送波を受信するための２つのアンテナ（以下、「ＶＨＦアンテナ」ともいう）と、当該２つのＶＨＦアンテナのそれぞれに対応して接続される２つのＶＨＦ受信部とを備えている。そして、ＵＨＦ帯域のデジタル放送波を受信し再生処理を行う場合には、２つのＵＨＦ受信部から出力される中間周波信号を合成し、合成信号に基づいて放送内容を再生するようになっている。また、ＶＨＦ帯域のデジタル放送波を受信し再生処理を行う場合には、２つのＶＨＦ受信部から出力される中間周波信号を合成し、合成信号に基づいて放送内容を再生するようになっている。
【先行技術文献】
【特許文献】
【０００４】
【特許文献１】特開２００５−２４４５８４号公報
【発明の概要】
【発明が解決しようとする課題】
【０００５】
さて、近年の自動車等には、ＦＭラジオ放送の放送波を受信して処理するＦＭ受信装置を搭載していることが一般的である。そして、当該ＦＭ受信装置には、ＦＭ放送帯域の放送波を受信するためのアンテナ（以下、「ＦＭアンテナ」ともいう）が備えられている。ここで、ＦＭラジオ放送の周波数帯域（日本においては、７６〜９０ＭＨｚ）は、マルチメディア放送等のデジタル放送に割当てが検討されているＶＨＦ−ＬＯＷ帯域（９０〜１０８ＭＨｚ）（以下、「Ｖ−ＬＯＷ帯域」という）の下限と隣接している。したがって、ＦＭ受信装置が備えるＦＭアンテナを利用することにより、Ｖ−ＬＯＷ帯域を使用するデジタル放送波を受信することが可能となる。このＶ−ＬＯＷ帯域のデジタル放送は、１又は３セグメントを使用した放送であり、１２セグメントを使用した場合のＵＨＦ帯域のデジタル放送と比べて、エラー耐性が高くなっている。
【０００６】
しかしながら、従来例の技術では、ＵＨＦ帯域のデジタル放送波を受信処理するために、ＵＨＦアンテナとＵＨＦ処理部とを用意するとともに、ＶＨＦ帯域のデジタル放送波を受信処理するために、ＦＭアンテナを利用することなく、ＶＨＦアンテナとＶＨＦ処理部とを用意する。この結果、従来例の構成を採用すると、ＦＭ受信装置が備えるＦＭアンテナを利用する場合と比べて、装置の規模が大きくなるとともに、装置の製造コストが高価なものとなりやすい。
【０００７】
このため、自動車等の車両に搭載されたＦＭ受信装置のＦＭアンテナを利用して、ＶＨＦ帯域のデジタル放送波を受信して処理を行うことができる技術が望まれている。かかる要請に応えることが、本発明が解決すべき課題の一つとして挙げられる。
【０００８】
本発明は、上記の事情を鑑みてなされたものであり、簡易な構成で、ＵＨＦ帯域及びＶＨＦ帯域の放送波を受信し、適切な受信処理を行うことができる新たな放送受信装置及び放送受信方法を提供することを目的とする。
【課題を解決するための手段】
【０００９】
請求項１に記載の発明は、ＵＨＦ帯域の放送波を受信するための第１アンテナから供給される第１受信信号、並びに、ＶＨＦ帯域及びＦＭ放送帯域の放送波を受信するための第２アンテナから供給される第２受信信号に基づいて、再生処理を行う放送受信装置であって、前記第１受信信号及び前記第２受信信号について、利用者に指定された一方に対して選局処理を行う第１選局処理部と；前記第２受信信号に対する選局処理を行う第２選局処理部と；前記第１受信信号及び前記第２受信信号の前記第１選局処理部及び前記第２選局処理部への供給を制御する第１制御を行う制御部と；を備え、前記制御部は、前記第１制御に際して、前記第１選局処理部により選局処理すべき受信信号として前記第２受信信号が利用者により指定された場合に、少なくとも前記第１選局処理部に対して前記第２受信信号を供給させる、ことを特徴とする放送受信装置である。
【００１０】
請求項８に記載の発明は、ＵＨＦ帯域の放送波を受信するための第１アンテナから供給される第１受信信号、及び、ＶＨＦ帯域及びＦＭ放送帯域の放送波を受信するための第２アンテナから供給される第２受信信号について、利用者に指定された一方に対して選局処理を行う第１選局処理部と；前記第２受信信号に対する選局処理を行う第２選局処理部と；を備える放送受信装置において使用される放送受信方法であって、利用者から選局処理すべき受信信号の指定を取得する取得工程と；前記取得工程における取得結果に基づいて、前記第１受信信号及び前記第２受信信号の前記第１選局処理部及び前記第２選局処理部への供給を制御する制御工程と；を備え、前記制御工程では、前記第１選局処理部により選局処理すべき受信信号として前記第２受信信号が利用者により指定された場合に、少なくとも前記第１選局処理部に対して前記第２受信信号を供給させる、ことを特徴とする放送受信方法である。
【００１１】
請求項９に記載の発明は、ＵＨＦ帯域の放送波を受信するための第１アンテナから供給される第１受信信号、並びに、ＶＨＦ帯域及びＦＭ放送帯域の放送波を受信するための第２アンテナから供給される第２受信信号に基づいて再生処理を行う放送受信装置が有するコンピュータに、請求項８に記載の放送受信方法を実行させる、ことを特徴とする放送受信プログラムである。
【００１２】
請求項１０に記載の発明は、ＵＨＦ帯域の放送波を受信するための第１アンテナから供給される第１受信信号、並びに、ＶＨＦ帯域及びＦＭ放送帯域の放送波を受信するための第２アンテナから供給される第２受信信号に基づいて再生処理を行う放送受信装置が有するコンピュータにより読み取り可能に、請求項９に記載の放送受信プログラムが記録されている、ことを特徴とする記録媒体である。
【図面の簡単な説明】
【００１３】
【図１】本発明の第１実施形態に係る放送受信装置の構成を概略的に示すブロック図である。
【図２】図１の再生処理ユニットの構成を示すブロック図である。
【図３】図２のＴＶ用再生処理部の構成を示すブロック図である。
【図４】図２の交通情報用再生処理部の構成を示すブロック図である。
【図５】図１の装置による道路交通情報の切り替え制御処理を説明するためのフローチャートである。
【図６】本発明の第２実施形態に係る放送受信装置の構成を概略的に示すブロック図である。
【図７】図６の再生処理ユニットにおける交通情報用再生処理部の構成を示すブロック図である。
【図８】図６の装置による道路交通情報の切り替え制御処理を説明するためのフローチャートである。
【発明を実施するための形態】
【００１４】
以下、本発明の実施形態を、添付図面を参照して説明する。なお、以下の説明及び図面においては、同一又は同等の要素には同一の符号を付し、重複する説明を省略する。
【００１５】
［第１実施形態］
まず、本発明の第１実施形態を、図１〜図５を参照して説明する。
【００１６】
＜構成＞
図１には、第１実施形態に係る放送受信装置１００Ａの概略的な構成がブロック図にて示されている。図１に示されるように、放送受信装置１００Ａは、４個のＵＨＦアンテナ１１１U1，１１１U2，１１１U3，１１１U4と、ＦＭアンテナ１１２Fと、第１選択ユニット１２１と、第２選択ユニット１２２とを備えている。また、放送受信装置１００Ａは、４個のＴＶ用ＲＦ処理ユニット１３１1，１３１2，１３１3，１３１4と、２個のＦＭ用ＲＦ処理ユニット１３２，１３３と、Ｖ−ＬＯＷ用ＲＦ処理ユニット１３４と、再生処理ユニット１４０Ａとを備えている。さらに、放送受信装置１００Ａは、入力ユニット１５０と、音出力ユニット１６０と、第１表示ユニット１７０と、第２表示ユニット１７５と、制御ユニット１９０Ａとを備えている。
【００１７】
上記のＵＨＦアンテナ１１１U1，１１１U2，１１１U3，１１１U4は、ＵＨＦ帯域を利用する地上デジタルテレビジョン放送の放送波を受信する。ＵＨＦアンテナ１１１Uj（ｊ＝１，…，３）による受信信号ＲＦＳUjは、ＴＶ用ＲＦ処理ユニット１３１jへ送られる。また、ＵＨＦアンテナ１１１U4による受信結果は、受信信号ＲＦＳU4として、第１選択ユニット１２１へ送られる。すなわち、第１実施形態では、ＵＨＦアンテナ１１１U4が第１アンテナに対応するとともに、受信信号ＲＦＳU4が第１受信信号に対応するようになっている。
【００１８】
上記のＦＭアンテナ１１２Fは、車両に搭載されたＦＭ受信装置が備えるＦＭアンテナである。ＦＭアンテナ１１２Fは、ＦＭ放送帯域及びＶＨＦ帯域の放送波を受信する。ＦＭアンテナ１１２Fによる受信結果は、受信信号ＲＦＳFとして、第１選択ユニット１２１及び第２選択ユニット１２２へ送られる。すなわち、第１実施形態では、ＦＭアンテナ１１２Fが第２アンテナに対応し、受信信号ＲＦＳFが第２受信信号に対応するようになっている。
【００１９】
上記の第１選択ユニット１２１は、ＵＨＦアンテナ１１１U4から送られた受信信号ＲＦＳU4を受けるとともに、ＦＭアンテナ１１２Fから送られた受信信号ＲＦＳFを受ける。そして、第１選択ユニット１２１は、制御ユニット１９０Ａによる制御のもとで、受信信号ＲＦＳU4，ＲＦＳFの出力先の選択処理を行う。
【００２０】
この第１選択ユニット１２１は、制御ユニット１９０Ａから送られた選択制御指令ＳＬＳ1により、ＵＨＦ帯域を利用するデジタル放送の音声及び映像を視聴するための「ＵＨＦ選択」指定がなされると、ＵＨＦアンテナ１１１U4から送られた受信信号ＲＦＳU4を、ＴＶ用ＲＦ処理ユニット１３１4へ送る。また、第１選択ユニット１２１は、制御ユニット１９０Ａから送られた選択制御指令ＳＬＳ1により、Ｖ−ＬＯＷ帯域を使用するデジタル放送の音声及び映像を視聴するための「Ｖ−ＬＯＷ選択」指定がなされると、ＦＭアンテナ１１２Fから送られた受信信号ＲＦＳFを、ＴＶ用ＲＦ処理ユニット１３１4へ送る。さらに、第１選択ユニット１２１は、ＦＭ放送の音声を聴取するための「ＦＭ音声選択」指定がなされると、ＦＭアンテナ１１２Fから送られた受信信号ＲＦＳFを、ＦＭ用ＲＦ処理ユニット１３２へ送る。
【００２１】
上記の第２選択ユニット１２２は、ＦＭアンテナ１１２Fから送られた受信信号ＲＦＳFを受ける。そして、第２選択ユニット１２２は、制御ユニット１９０Ａによる制御のもとで、受信信号ＲＦＳFの出力先の選択処理を行う。
【００２２】
この第２選択ユニット１２２は、制御ユニット１９０Ａから送られた選択制御指令ＳＬＳ2により、ＦＭ放送帯域におけるデータ放送から「道路交通情報」に関するデータを取得するための「ＦＭデータ選択」指定がなされると、ＦＭアンテナ１１２Fから送られた受信信号ＲＦＳFを、ＦＭ用ＲＦ処理ユニット１３３へ送る。また、第２選択ユニット１２２は、制御ユニット１９０Ａから送られた選択制御指令ＳＬＳ2により、Ｖ−ＬＯＷ帯域におけるデータ放送から「道路交通情報」に関するデータを取得するための「Ｖ−ＬＯＷデータ選択」指定がなされると、ＦＭアンテナ１１２Fから送られた受信信号ＲＦＳFを、Ｖ−ＬＯＷ用ＲＦ処理ユニット１３４へ送る。
【００２３】
上記のＴＶ用ＲＦ処理ユニット１３１j（ｊ＝１，…，３）は、ＵＨＦアンテナ１１１Ujに対応して配置され、ＵＨＦアンテナ１１１Ujから送られた受信信号ＲＦＳUjを受ける。ＴＶ用ＲＦ処理ユニット１３１jは、制御ユニット１９０Ａから送られた選局指令ＣＳＬUに従って、選局すべき物理チャンネルの信号を受信信号ＲＦＳUjから抽出する選局処理を行う。ＴＶ用ＲＦ処理ユニット１３１jによる選局結果は、中間周波信号ＩＦＤUj（以下、単に「信号ＩＦＤUj」とも記す）として、再生処理ユニット１４０Ａへ送られる。
【００２４】
上記のＴＶ用ＲＦ処理ユニット１３１4は、制御ユニット１９０Ａが「ＵＨＦ選択」を指定している場合には、第１選択ユニット１２１から送られた受信信号ＲＦＳU4を受ける。また、ＴＶ用ＲＦ処理ユニット１３１4は、制御ユニット１９０Ａが「Ｖ−ＬＯＷ選択」を指定している場合には、第１選択ユニット１２１から送られた受信信号ＲＦＳFを受ける。ＴＶ用ＲＦ処理ユニット１３１4は、制御ユニット１９０Ａから送られた選局指令ＣＳＬ11に従って、選局すべき希望局の信号を受信信号から抽出する選局処理を行う。ＴＶ用ＲＦ処理ユニット１３１4による選局結果は、中間周波信号ＩＦＤT（以下、単に「信号ＩＦＤT」とも記す）として、再生処理ユニット１４０Ａへ送られる。すなわち、ＴＶ用ＲＦ処理ユニット１３１4は、第１選局処理部としての機能を果たすようになっている。
【００２５】
上記のＦＭ用ＲＦ処理ユニット１３２は、制御ユニット１９０Ａが「ＦＭ音声選択」を指定している場合に、第１選択ユニット１２１から送られた受信信号ＲＦＳFを受ける。ＦＭ用ＲＦ処理ユニット１３２は、制御ユニット１９０Ａから送られた選局指令ＣＳＬ12に従って、選局すべき希望局の信号を受信信号ＲＦＳFから抽出する選局処理を行う。ＦＭ用ＲＦ処理ユニット１３２による選局結果は、中間周波信号ＩＦＤFA（以下、単に「信号ＩＦＤFA」とも記す）として、再生処理ユニット１４０Ａへ送られる。すなわち、ＦＭ用ＲＦ処理ユニット１３２は、第２選局処理部としての機能を果たすようになっている。
【００２６】
上記のＦＭ用ＲＦ処理ユニット１３３は、車両に搭載されたＦＭ受信装置が備えるＦＭチューナである。ＦＭ用ＲＦ処理ユニット１３３は、制御ユニット１９０Ａが「ＦＭデータ選択」を指定している場合に、第２選択ユニット１２２から送られた受信信号ＲＦＳFを受ける。ＦＭ用ＲＦ処理ユニット１３３は、制御ユニット１９０Ａから送られた選局指令ＣＳＬ21に従って、選局すべき希望局の信号を受信信号ＲＦＳFから抽出する選局処理を行う。ＦＭ用ＲＦ処理ユニット１３３による選局結果は、中間周波信号ＩＦＤFD（以下、単に「信号ＩＦＤFD」とも記す）として、再生処理ユニット１４０Ａへ送られる。すなわち、ＦＭ用ＲＦ処理ユニット１３３は、第３選局処理部としての機能を果たすようになっている。
【００２７】
上記のＶ−ＬＯＷ用ＲＦ処理ユニット１３４は、制御ユニット１９０Ａが「Ｖ−ＬＯＷデータ選択」を指定している場合に、第２選択ユニット１２２から送られた受信信号ＲＦＳFを受ける。Ｖ−ＬＯＷ用ＲＦ処理ユニット１３４は、制御ユニット１９０Ａから送られた選局指令ＣＳＬ22に従って、選局すべき希望局の信号を受信信号ＲＦＳFから抽出する選局処理を行う。Ｖ−ＬＯＷ用ＲＦ処理ユニット１３４による選局結果は、中間周波信号ＩＦＤVD（以下、単に「信号ＩＦＤVD」とも記す）として、再生処理ユニット１４０Ａへ送られる。すなわち、Ｖ−ＬＯＷ用ＲＦ処理ユニット１３４は、第４選局処理部としての機能を果たすようになっている。
【００２８】
上記の再生処理ユニット１４０Ａは、制御ユニット１９０Ａにより「ＵＨＦ選択」が指定されると、ＴＶ用ＲＦ処理ユニット１３１j（ｊ＝１，…，３）から送られた信号ＩＦＤUj、ＴＶ用ＲＦ処理ユニット１３１4から送られた信号ＩＦＤTを処理して、音出力ユニット１６０へ供給する音声データ及び第１表示ユニット１７０へ供給する映像データを生成する。また、再生処理ユニット１４０Ａは、制御ユニット１９０Ａにより「Ｖ−ＬＯＷ選択」が指定されると、ＴＶ用ＲＦ処理ユニット１３１4から送られた信号ＩＦＤTを処理して、音出力ユニット１６０へ供給する音声データ及び第１表示ユニット１７０へ供給する映像データを生成する。さらに、再生処理ユニット１４０Ａは、制御ユニット１９０Ａにより「ＦＭ音声選択」が指定されると、ＦＭ用ＲＦ処理ユニット１３２から送られた信号ＩＦＤFAを処理して、音出力ユニット１６０へ供給する音声データを生成する。
【００２９】
また、再生処理ユニット１４０Ａは、制御ユニット１９０Ａにより「ＦＭデータ選択」が指定されると、ＦＭ用ＲＦ処理ユニット１３３から送られた信号ＩＦＤFDを処理して、第２表示ユニット１７５へ供給する「道路交通情報」を反映した画像データを生成する。また、再生処理ユニット１４０Ａは、制御ユニット１９０Ａにより「Ｖ−ＬＯＷデータ選択」が指定されると、Ｖ−ＬＯＷ用ＲＦ処理ユニット１３４から送られた信号ＩＦＤVDを処理して、第２表示ユニット１７５へ供給する「道路交通情報」を反映した画像データを生成する。
【００３０】
再生処理ユニット１４０Ａの構成の詳細については、後述する。
【００３１】
上記の入力ユニット１５０は、放送受信装置１００Ａの本体部に設けられたキー部、及び／又はキー部を備えるリモート入力装置等により構成される。ここで、本体部に設けられたキー部としては、第１表示ユニット１７０の表示デバイスに設けられたタッチパネルを用いることができる。また、キー部を有する構成に代えて、又は併用して音声認識技術を利用して音声にて入力する構成を採用することもできる。
【００３２】
この入力ユニット１５０を利用者が操作することにより、放送受信装置１００Ａの動作内容の設定や動作指令の入力が行われる。例えば、「ＵＨＦデジタルＴＶ放送」、「Ｖ−ＬＯＷデジタルＴＶ放送」及び「ＦＭ音声放送」の放送波設定指定、選局設定指定等の利用者による入力が、入力ユニット１５０を利用して行われる。入力ユニット１５０への入力内容は、入力データとして、制御ユニット１９０Ａへ送られる。
【００３３】
上記の音出力ユニット１６０は、（ｉ）再生処理ユニット１４０Ａから送られた音声データをアナログ信号に変換するＤＡ（Digital to Analogue）変換器と、（ii）当該ＤＡ変換器から出力されたアナログ信号を増幅する増幅器と、（iii）増幅されたアナログ信号を音声に変換するスピーカとを備えて構成されている。この音出力ユニット１６０は、選局されている希望局の放送波に対応する放送音声を再生出力する。
【００３４】
上記の第１表示ユニット１７０は、例えば、（ｉ）液晶パネル、有機ＥＬ（Electro Luminescence）パネル、ＰＤＰ（Plasma Display Panel）等の表示デバイスと、（ii）再生処理ユニット１４０Ａから送られた映像データに基づいて、当該表示デバイスに画像を表示させる表示制御回路とを備えている。この第１表示ユニット１７０は、選局されている希望局の放送波に対応する放送映像を再生表示する。
【００３５】
上記の第２表示ユニット１７５は、例えば、上述した第１表示ユニット１７０の場合と同様にして構成され、（ｉ）液晶パネル、有機ＥＬパネル、ＰＤＰ等の表示デバイスと、（ii）再生処理ユニット１４０Ａから送られた画像データに基づいて、当該表示デバイスに画像を表示させる表示制御回路とを備えている。この第２表示ユニット１７５は、「道路交通情報」を反映した画像を再生表示する。
【００３６】
上記の制御ユニット１９０Ａは、様々な処理を行うとともに、放送受信装置１００Ａの全体の動作を制御する。制御ユニット１９０Ａは、入力ユニット１５０から送られた入力データを受ける。この入力データの内容が、「ＵＨＦデジタルＴＶ放送」の放送波設定指定であった場合には、制御ユニット１９０Ａは、「ＵＨＦ選択」を指定した選択制御指令ＳＬＳ1を生成して、第１選択ユニット１２１へ送る。また、制御ユニット１９０Ａは、信号ＩＦＤU1，ＩＦＤU2，ＩＦＤU3，ＩＦＤTの４つの信号を合成すべきことを指定した合成制御指令ＳＮＣ、及び、ＵＨＦデジタル放送波に対応する放送音声を再生出力するための切替制御指令ＳＷ１を生成して、再生処理ユニット１４０Ａへ送る。
【００３７】
また、入力データの内容が、「Ｖ−ＬＯＷデジタルＴＶ放送」の放送波設定指定であった場合には、制御ユニット１９０Ａは、「Ｖ−ＬＯＷ選択」を指定した選択制御指令ＳＬＳ1を生成して、第１選択ユニット１２１へ送る。また、制御ユニット１９０Ａは、信号ＩＦＤTのみを再生処理すべきこと（すなわち、信号を合成すべきではないこと）を指定した合成制御指令ＳＮＣ、及び、Ｖ−ＬＯＷデジタル放送波に対応する放送音声を再生出力するための切替制御指令ＳＷ１を生成して、再生処理ユニット１４０Ａへ送る。
【００３８】
また、入力データの内容が、「ＦＭ音声放送」の放送波設定指定であった場合には、制御ユニット１９０Ａは、「ＦＭ音声選択」を指定した選択制御指令ＳＬＳ1を生成して、第１選択ユニット１２１へ送る。また、制御ユニット１９０Ａは、ＦＭ放送波に対応する放送音声を再生出力するための切替制御指令ＳＷ１を生成して、再生処理ユニット１４０Ａへ送る。
【００３９】
また、制御ユニット１９０Ａは、再生処理ユニット１４０Ａから送られた後述する受信状態情報ＳＴＶを受ける。そして、制御ユニット１９０Ａは、当該受信状態情報ＳＴＶの内容等に基づいて、「ＦＭデータ選択」及び「Ｖ−ＬＯＷデータ選択」のいずれかを指定した選択制御指令ＳＬＳ2を生成して、第２選択ユニット１２２へ送るとともに、「ＦＭデータ放送信号に基づく道路交通情報」及び「Ｖ−ＬＯＷデータ放送信号に基づく道路交通情報」のいずれを表示すべきかを指定した切替制御指令ＳＷ２を生成して、再生処理ユニット１４０Ａへ送る。
【００４０】
また、制御ユニット１９０Ａは、入力ユニット１５０から送られた入力データの内容が選局設定指定であった場合には、指定された希望局に対応する選局指令ＣＳＬを生成して、選局処理を行うべきＲＦ処理ユニットへ送る。
【００４１】
すなわち、制御ユニット１９０Ａは、制御部としての機能を果たすようになっている。制御ユニット１９０Ａが実行する制御処理の詳細については、後述する。
【００４２】
《再生処理ユニット１４０Ａの構成》
次に、再生処理ユニット１４０Ａの構成について説明する。
【００４３】
再生処理ユニット１４０Ａは、図２に示されるように、ＴＶ用再生処理部１４１と、ＦＭ音声用再生処理部１４２と、音声データ切替部１４３とを備えている。また、再生処理ユニット１４０Ａは、交通情報用再生処理部１４４Ａと、情報データ切替部１４５とを備えている。
【００４４】
上記のＴＶ用再生処理部１４１は、制御ユニット１９０Ａにより「ＵＨＦ選択」が指定された場合に、ＴＶ用ＲＦ処理ユニット１３１j（ｊ＝１，…，３）から送られた信号ＩＦＤUj、及び、ＴＶ用ＲＦ処理ユニット１３１4から送られた信号ＩＦＤTを取得する。そして、ＴＶ用再生処理部１４１は、ＴＶ用ＲＦ処理ユニット１３１1〜１３１4より選局処理が施された信号ＩＦＤU1，ＩＦＤU2，ＩＦＤU3，ＩＦＤTを合成する。引き続き、ＴＶ用再生処理部１４１は、当該合成された信号に対して再生処理を施し、音声データ切替部１４３へ供給する音声データ及び第１表示ユニット１７０へ供給する映像データを生成する。
【００４５】
また、ＴＶ用再生処理部１４１は、制御ユニット１９０Ａにより「Ｖ−ＬＯＷ選択」が指定された場合に、ＴＶ用ＲＦ処理ユニット１３１4から送られた信号ＩＦＤTを取得する。そして、ＴＶ用再生処理部１４１は、ＲＦ処理ユニット１３１4により選局処理が施された当該信号ＩＦＤTに対して再生処理を施し、音声データ切替部１４３へ供給する音声データ及び第１表示ユニット１７０へ供給する映像データを生成する。
【００４６】
ＴＶ用再生処理部１４１の構成の詳細については、後述する。
【００４７】
上記のＦＭ音声用再生処理部１４２は、ＦＭ用復調部と、マルチプレクサ（ＭＰＸ）部とを備えている（いずれも、不図示）。
【００４８】
ＦＭ用復調部は、制御ユニット１９０Ａにより「ＦＭ音声選択」が指定された場合に、ＦＭ用ＲＦ処理ユニット１３２から送られた信号ＩＦＤFAを取得する。そして、ＦＭ復調部は、ＦＭ用ＲＦ処理ユニット１３２により選局処理が施された当該信号ＩＦＤFAに対してＦＭ復調処理を施し、復調結果の信号をＭＰＸ部へ送る。ＭＰＸ部は、ＦＭ用復調部から送られた復調結果の信号を受ける。そして、ＭＰＸ部は、復調結果の信号に対して、セパレーション処理等の再生処理を施して、音声データ切替部１４３へ供給する音声データを生成する。
【００４９】
上記の音声データ切替部１４３は、制御ユニット１９０Ａから送られた切替制御指令ＳＷ１により「ＴＶ再生選択」指定がなされると、ＴＶ用再生処理部１４１から送られた音声データを、音出力ユニット１６０へ送る。また、音声データ切替部１４３は、切替制御指令ＳＷ１により「ＦＭ音声再生選択」指定がなされると、ＦＭ音声用再生処理部１４２から送られた音声データを、音出力ユニット１６０へ送る。
【００５０】
上記の交通情報用再生処理部１４４Ａは、制御ユニット１９０Ａにより「ＦＭデータ選択」が指定された場合に、ＦＭ用ＲＦ処理ユニット１３３から送られた信号ＩＦＤFDを取得する。そして、交通情報用再生処理部１４４Ａは、ＦＭ用ＲＦ処理ユニット１３３により選局処理が施された当該信号ＩＦＤFDに対して再生処理を施して、ＦＭデータ放送が提供する「道路交通情報」に関する画像データを生成する。引き続き、交通情報用再生処理部１４４Ａは、生成された画像データを情報データ切替部１４５へ供給する。
【００５１】
また、交通情報用再生処理部１４４Ａは、制御ユニット１９０Ａにより「Ｖ−ＬＯＷデータ選択」が指定された場合に、Ｖ−ＬＯＷ用ＲＦ処理ユニット１３４から送られた信号ＩＦＤVDを取得する。そして、交通情報用再生処理部１４４Ａは、Ｖ−ＬＯＷ用ＲＦ処理ユニット１３４により選局処理が施された当該信号ＩＦＤVDに対して再生処理を施して、Ｖ−ＬＯＷデータ放送が提供する「道路交通情報」に関する画像データを生成する。引き続き、交通情報用再生処理部１４４Ａは、生成された画像データを情報データ切替部１４５へ供給する。
【００５２】
交通情報用再生処理部１４４Ａの構成の詳細については、後述する。
【００５３】
上記の情報データ切替部１４５は、制御ユニット１９０Ａから送られた切替制御指令ＳＷ２により「ＦＭデータ再生選択」指定がなされると、ＦＭデータ放送が提供する「道路交通情報」に関する画像データを、第２表示ユニット１７５へ送る。また、情報データ切替部１４５は、切替制御指令ＳＷ２により「Ｖ−ＬＯＷデータ再生選択」指定がなされると、Ｖ−ＬＯＷデータ放送が提供する「道路交通情報」に関する画像データを、第２表示ユニット１７５へ送る。
【００５４】
（ＴＶ用再生処理部１４１の構成）
上述したＴＶ用再生処理部１４１の構成について説明する。
【００５５】
ＴＶ用再生処理部１４１は、図３に示されるように、信号合成部２１１と、ＴＶ用復調部２１２と、ＴＶ用復号部２１３とを備えている。また、ＴＶ用再生処理部１４１は、音声処理部２１４と、映像処理部２１５とを備えている。
【００５６】
上記の信号合成部２１１は、制御ユニット１９０Ａにより「ＵＨＦ選択」が指定されているときには、ＴＶ用ＲＦ処理ユニット１３１j（ｊ＝１，…，３）から送られた信号ＩＦＤUj、及び、ＴＶ用ＲＦ処理ユニット１３１4から送られた信号ＩＦＤTを取得する。そして、信号合成部２１１は、制御ユニット１９０Ａから送られた合成制御指令ＳＮＣに従い、ＴＶ用ＲＦ処理ユニット１３１1〜１３１4より選局処理が施された信号ＩＦＤU1，ＩＦＤU2，ＩＦＤU3，ＩＦＤTの４つ信号の合成を行い、合成された信号をＴＶ用復調部２１２へ送る。
【００５７】
また、信号合成部２１１は、制御ユニット１９０Ａにより「ＵＨＦ選択」が指定されているときには、ＴＶ用ＲＦ処理ユニット１３１4から送られた信号ＩＦＤTを取得する。そして、信号合成部２１１は、制御ユニット１９０Ａから送られた合成制御指令ＳＮＣに従い、ＴＶ用ＲＦ処理ユニット１３１4により選局処理が施された信号ＩＦＤTをＴＶ用復調部２１２へ送る。
【００５８】
上記のＴＶ用復調部２１２は、信号合成部２１１から送られた信号を受ける。そして、ＴＶ用復調部２１２は、当該信号に対してＯＦＤＭ（Orthogonal Frequency Division Multiplex）復調を施す。こうして復調された復調信号は、ＴＶ用復号部２１３へ送られる。
【００５９】
上記のＴＶ用復号部２１３は、ＴＶ用復調部２１２から送られた復調信号を受ける。そして、ＴＶ用復号部２１３は、復調信号の復号処理を行い、音声に関する復号結果を、復号音声データとして、音声処理部２１４へ送る。また、ＴＶ用復号部２１３は、映像に関する復号結果を、復号映像データとして、映像処理部２１５へ送る。
【００６０】
上記の音声処理部２１４は、復号音声データに基づいて音声データを生成する。生成された音声データは、音声データ切替部１４３へ送られる。
【００６１】
上記の映像処理部２１５は、復号映像データに基づいて映像データを生成する。生成された映像データは、第１表示ユニット１７０へ送られる。
【００６２】
（交通情報用再生処理部１４４Ａの構成）
上述した交通情報用再生処理部１４４Ａの構成について説明する。
【００６３】
交通情報用再生処理部１４４Ａは、図４に示されるように、ＦＭ用復調部２２１と、ＦＭデータ信号用復号部２２２と、Ｖ−ＬＯＷ用復調部２２３と、Ｖ−ＬＯＷ用復号部２２４Ａとを備えている。
【００６４】
上記のＦＭ用復調部２２１は、ＦＭ用ＲＦ処理ユニット１３３から送られた信号ＩＦＤFDを取得する。そして、ＦＭ用復調部２２１は、ＦＭ用ＲＦ処理ユニット１３３により選局処理が施された当該信号ＩＦＤFDに対して復調処理を施して復調信号を生成する。こうして生成された復調信号は、ＦＭデータ信号用復号部２２２へ送られる。
【００６５】
上記のＦＭデータ信号用復号部２２２は、ＦＭ用復調部２２１から送られた復調信号を受ける。ＦＭデータ信号用復号部２２２は、当該復調信号を受けると、データ信号用の復号処理を施して、「道路交通情報」に関する画像データを生成する。こうして生成されたＦＭデータ放送が提供する「道路交通情報」を反映した画像データは、情報データ切替部１４５へ送られる。
【００６６】
上記のＶ−ＬＯＷ用復調部２２３は、Ｖ−ＬＯＷ用ＲＦ処理ユニット１３４から送られた信号ＩＦＤVDを取得する。そして、Ｖ−ＬＯＷ用復調部２２３は、Ｖ−ＬＯＷ用ＲＦ処理ユニット１３４により選局処理が施された当該信号ＩＦＤVDに対して復調処理を施して復調信号を生成する。こうして生成された復調信号は、Ｖ−ＬＯＷ用復号部２２４Ａへ送られる。
【００６７】
上記のＶ−ＬＯＷ用復号部２２４Ａは、Ｖ−ＬＯＷ用復調部２２３から送られた復調信号を受ける。Ｖ−ＬＯＷ用復号部２２４Ａは、当該復調信号を受けると、データ信号用の復号処理を施して、Ｖ−ＬＯＷデータ放送信号の内容に「道路交通情報」が含まれているか否かのチェックを行う。そして、Ｖ−ＬＯＷ用復号部２２４Ａは、当該チェックの結果を、状態報告ＳＴＶとして制御ユニット１９０Ａへ送る。
【００６８】
また、Ｖ−ＬＯＷ用復号部２２４Ａは、Ｖ−ＬＯＷデータ放送信号の内容に「道路交通情報」が含まれているときには、復号処理の結果に基づいて「道路交通情報」に関する画像データを生成する。こうして生成されたＶ−ＬＯＷデータ放送が提供する「道路交通情報」を反映した画像データは、情報データ切替部１４５へ送られる。
【００６９】
＜動作＞
以上のようにして構成された放送受信装置１００Ａの動作について、制御ユニット１９０Ａによる利用者の「放送波設定指定」に対応した「ＵＨＦデジタルＴＶ放送」、「Ｖ−ＬＯＷデジタルＴＶ放送」及び「ＦＭ音声放送」の再生処理、並びに、ＦＭデータ放送及びＶ−ＬＯＷデータ放送が提供する「道路交通情報」の切り替え制御処理に主に着目して説明する。
【００７０】
《ＵＨＦデジタルＴＶ放送の再生処理》
まず、「ＵＨＦデジタルＴＶ放送」の再生処理について説明する。
【００７１】
かかる再生処理は、利用者による「ＵＨＦデジタルＴＶ放送」を指定した放送波設定指定の入力ユニット１５０への入力に対応して開始される。こうして再生処理が開始されると、制御ユニット１９０Ａが、まず、ＵＨＦアンテナ１１１U4から送られる受信信号ＲＦＳU4をＴＶ用ＲＦ処理ユニット１３１4へ送ることを内容とする「ＵＨＦ選択」を指定する選択制御指令ＳＬＳ1を生成し、第１選択ユニット１２１へ送る（図１参照）。また、制御ユニット１９０Ａは、ＴＶ用ＲＦ処理ユニット１３１j（ｊ＝１，…，３）から送られる信号ＩＦＤUj、及び、ＴＶ用ＲＦ処理ユニット１３１4から送られる信号ＩＦＤTを合成すべきことを指定する合成制御指令ＳＮＣを生成し、ＴＶ用再生処理部１４１の信号合成部２１１へ送る（図３参照）。
【００７２】
さらに、制御ユニット１９０Ａは、ＴＶ用再生処理部１４１から送られる音声データを音出力ユニット１６０へ送ることを内容とする「ＴＶ再生選択」を指定する切替制御指令ＳＷ１を生成し、音声データ切替部１４３へ送る（図２参照）。また、制御ユニット１９０Ａは、利用者により選局設定指定されたＵＨＦデジタル放送の希望局に対応する選局指令ＣＳＬUを生成して、ＴＶ用ＲＦ処理ユニット１３１j（ｊ＝１，…，３）へ送るとともに、当該デジタル放送の希望局に対応する選局指令ＣＳＬ11を生成して、ＴＶ用ＲＦ処理ユニット１３１4へ送る（図１参照）。
【００７３】
こうした制御ユニット１９０Ａにより指令設定の状況のもとで、ＵＨＦアンテナ１１１Uj（ｊ＝１，…，３）で受信した受信信号ＲＦＳUjがＴＶ用ＲＦ処理ユニット１３１jへ送られるともに、ＵＨＦアンテナ１１１U4で受信した受信信号ＲＦＳU4がＴＶ用ＲＦ処理ユニット１３１4へ送られる。そして、ＴＶ用ＲＦ処理ユニット１３１jは、受信信号ＲＦＳUjを受けると、制御ユニット１９０Ａから送られた選局指令ＣＳＬUに従って選局すべき希望局の中間周波数帯の信号ＩＦＤUjを抽出し、当該信号ＩＦＤUjを再生処理ユニット１４０ＡのＴＶ用再生処理部１４１へ送る。また、ＴＶ用ＲＦ処理ユニット１３１4は、受信信号ＲＦＳU4を受けると、選局指令ＣＳＬ11に従って選局すべき希望局の中間周波数帯の信号ＩＦＤTを抽出し、当該信号ＩＦＤTを再生処理ユニット１４０ＡのＴＶ用再生処理部１４１へ送る（図１及び図２参照）。
【００７４】
ＴＶ用再生処理部１４１では、信号合成部２１１が、信号ＩＦＤU1，ＩＦＤU2，ＩＦＤU3，ＩＦＤTの４つ信号の合成を行い、合成された信号をＴＶ用復調部２１２へ送る。そして、ＴＶ用復調部２１２が、信号合成部２１１から送られた信号の復調処理を行い、復調信号をＴＶ用復号部２１３へ送る。次いで、ＴＶ用復号部２１３が、復調信号の復号処理を行う。引き続き、ＴＶ用復号部２１３は、音声に関する復号結果を復号音声データとして音声処理部２１４へ送るとともに、映像に関する復号結果を復号映像データとして映像処理部２１５へ送る（図３参照）。
【００７５】
音声処理部２１４では、復号音声データに基づいて音声データが生成される。そして、音声処理部２１４は、当該音声データを音声データ切替部１４３へ送る。そして、音声データ切替部１４３は、当該音声データを音出力ユニット１６０へ送る（図２参照）。また、映像処理部２１５では、復号映像データに基づいて映像データが生成される。そして、映像処理部２１５は、当該映像データを第１表示ユニット１７０へ送る（図３参照）。
【００７６】
この結果、「ＵＨＦデジタルＴＶ放送」の選局設定指定された希望局の放送音声が、音出力ユニット１６０から再生出力されるとともに、当該希望局の放送映像が、第１表示ユニット１７０から再生表示される。
【００７７】
《Ｖ−ＬＯＷデジタルＴＶ放送の再生処理》
次に、利用者の指定に対応した「Ｖ−ＬＯＷデジタルＴＶ放送」の再生処理について説明する。
【００７８】
かかる再生処理は、利用者による「Ｖ−ＬＯＷデジタルＴＶ放送」を指定した放送波設定指定の入力ユニット１５０への入力に対応して開始される。こうして再生処理が開始されると、制御ユニット１９０Ａが、まず、ＦＭアンテナ１１２Fから送られる受信信号ＲＦＳFをＴＶ用ＲＦ処理ユニット１３１4へ送ることを内容とする「Ｖ−ＬＯＷ選択」を指定する選択制御指令ＳＬＳ1を生成し、第１選択ユニット１２１へ送る（図１参照）。また、制御ユニット１９０Ａは、ＴＶ用ＲＦ処理ユニット１３１4から送られる信号ＩＦＤTのみを再生処理すべきことを指定する合成制御指令ＳＮＣを生成し、ＴＶ用再生処理部１４１の信号合成部２１１へ送る（図３参照）。
【００７９】
さらに、制御ユニット１９０Ａは、ＴＶ用再生処理部１４１から送られる音声データを音出力ユニット１６０へ送ることを内容とする「ＴＶ再生選択」を指定する切替制御指令ＳＷ１を生成し、音声データ切替部１４３へ送る（図２参照）。また、制御ユニット１９０Ａは、利用者により選局設定指定されたＶ−ＬＯＷデジタル放送の希望局に対応する選局指令ＣＳＬ11を生成して、ＴＶ用ＲＦ処理ユニット１３１4へ送る（図１参照）。
【００８０】
こうした制御ユニット１９０Ａにより指令設定の状況のもとで、ＦＭアンテナ１１２Fで受信した受信信号ＲＦＳFがＴＶ用ＲＦ処理ユニット１３１4へ送られる。そして、ＴＶ用ＲＦ処理ユニット１３１4は、受信信号ＲＦＳFを受けると、制御ユニット１９０Ａから送られた選局指令ＣＳＬ11に従って選局すべき希望局の中間周波数帯の信号ＩＦＤTを抽出し、当該信号ＩＦＤTを再生処理ユニット１４０ＡのＴＶ用再生処理部１４１へ送る（図１及び図２参照）。
【００８１】
ＴＶ用再生処理部１４１では、信号合成部２１１が、合成処理を行わずに、信号ＩＦＤTをＴＶ用復調部２１２へ送る。そして、ＴＶ用復調部２１２が、信号合成部２１１から送られた信号の復調処理を行い、復調信号をＴＶ用復号部２１３へ送る。次いで、ＴＶ用復号部２１３が、復調信号の復号処理を行い、音声に関する復号結果を復号音声データとして音声処理部２１４へ送るとともに、映像に関する復号結果を復号映像データとして映像処理部２１５へ送る（図３参照）。
【００８２】
音声処理部２１４では、復号音声データに基づいて音声データが生成される。そして、音声処理部２１４は、当該音声データを音声データ切替部１４３へ送る。そして、音声データ切替部１４３は、当該音声データを音出力ユニット１６０へ送る（図２参照）。また、映像処理部２１５では、復号映像データに基づいて映像データが生成される。そして、映像処理部２１５は、当該映像データを第１表示ユニット１７０へ送る（図３参照）。
【００８３】
この結果、「Ｖ−ＬＯＷデジタルＴＶ放送」の選局設定指定された希望局の放送音声が、音出力ユニット１６０から再生出力されるとともに、当該希望局の放送映像が、第１表示ユニット１７０から再生表示される。
【００８４】
《ＦＭ音声放送の再生処理》
次いで、利用者の指定に対応した「ＦＭ音声放送」の再生処理について説明する。
【００８５】
かかる再生処理は、利用者による「ＦＭ音声放送」を指定した放送波設定指定の入力ユニット１５０への入力に対応して開始される。こうして再生処理が開始されると、制御ユニット１９０Ａが、まず、ＦＭアンテナ１１２Fから送られる受信信号ＲＦＳFをＦＭ用ＲＦ処理ユニット１３２へ送ることを内容とする「ＦＭ音声選択」を指定する選択制御指令ＳＬＳ1を生成し、第１選択ユニット１２１へ送る（図１参照）。
【００８６】
また、制御ユニット１９０Ａは、ＦＭ音声用再生処理部１４２から送られる音声データを音出力ユニット１６０へ送ることを内容とする「ＦＭ音声再生選択」を指定する切替制御指令ＳＷ１を生成し、音声データ切替部１４３へ送る（図２参照）。また、制御ユニット１９０Ａは、利用者により選局設定指定されたＦＭ放送の希望局に対応する選局指令ＣＳＬ12を生成して、ＦＭ用ＲＦ処理ユニット１３２へ送る（図１参照）。
【００８７】
こうした制御ユニット１９０Ａにより指令設定の状況のもとで、ＦＭアンテナ１１２Fで受信した受信信号ＲＦＳFがＦＭ用ＲＦ処理ユニット１３２へ送られる。そして、ＦＭ用ＲＦ処理ユニット１３２は、受信信号ＲＦＳFを受けると、制御ユニット１９０Ａから送られた選局指令ＣＳＬ12に従って選局すべき希望局の中間周波数帯の信号ＩＦＤFAを抽出し、当該信号ＩＦＤFAを再生処理ユニット１４０ＡのＦＭ音声用再生処理部１４２へ送る（図１及び図２参照）。
【００８８】
ＦＭ音声用再生処理部１４２では、ＦＭ用復調部が、信号ＩＦＤFAの復調処理を行い、復調結果の信号をＭＰＸ部へ送る。そして、ＭＰＸ部が、復調結果の信号に対して、セパレーション処理等の再生処理を施して、音声データを生成する。引き続き、ＭＰＸ部は、当該音声データを音声データ切替部１４３へ送る。そして、音声データ切替部１４３は、当該音声データを音出力ユニット１６０へ送る（図２参照）。
【００８９】
この結果、「ＦＭ放送」の選局設定指定された希望局の放送音声が、音出力ユニット１６０から再生出力される。
【００９０】
《「道路交通情報」の切り替え制御処理》
引き続き、ＦＭデータ放送及びＶ−ＬＯＷデータ放送が提供する「道路交通情報」の切り替え制御処理について説明する。この切り替え制御処理は、上述した「ＵＨＦデジタルＴＶ放送の再生処理」、「Ｖ−ＬＯＷデジタルＴＶ放送の再生処理」及び「ＦＭ音声放送の再生処理」のいずれかと並行して、常時、行われるようになっている。
【００９１】
前提として、ＦＭデータ放送が提供する「道路交通情報」については、再生不可能なエリアは存在しないものとし、Ｖ−ＬＯＷデータ放送が提供する「道路交通情報」については、再生不可能なエリアが存在するものとする。
【００９２】
また、制御ユニット１９０Ａは、ＦＭデータ放送が提供する「道路交通情報」に関するデータ希望局に対応する選局指令ＣＳＬ21を生成してＦＭ用ＲＦ処理ユニット１３３へ送っているものとする。また、制御ユニット１９０Ａは、Ｖ−ＬＯＷデータ放送が提供する「道路交通情報」に関するデータ希望局に対応する選局指令ＣＳＬ22を生成してＶ−ＬＯＷ用ＲＦ処理ユニット１３４へ送っているものとする（図１参照）。
【００９３】
このような状況のもとで、図５に示されるように、まず、ステップＳ１１において、制御ユニット１９０Ａが、再生表示する「道路交通情報」のデータ放送信号として、ＦＭデータ放送信号を選択する。かかるＦＭデータ放送信号の選択に際して、制御ユニット１９０Ａは、ＦＭアンテナ１１２Fから送られる受信信号ＲＦＳFをＦＭ用ＲＦ処理ユニット１３３へ送ることを内容とする「ＦＭデータ選択」を指定する選択制御指令ＳＬＳ2を生成し、第２選択ユニット１２２へ送る（図１参照）。また、制御ユニット１９０Ａは、かかるＦＭデータ放送信号の選択に際して、ＦＭデータ信号用復号部２２２から送られる画像データを第２表示ユニット１７５へ送ることを内容とする「ＦＭデータ再生選択」を指定する切替制御指令ＳＷ２を生成し、情報データ切替部１４５へ送る（図２及び図４参照）。
【００９４】
次に、ステップＳ１２において、制御ユニット１９０Ａが、ＦＭデータ放送が担う道路交通情報の取得が完了したか否かを判定する。この判定の結果が否定的であった場合（ステップＳ１２：Ｎ）には、ステップＳ１２の処理が繰り返される。一方、ステップＳ１２における判定の結果が肯定的（ステップＳ１２：Ｙ）になると、処理はステップＳ１３へ進む。
【００９５】
このステップＳ１２の処理が繰り返される状態では、ＦＭアンテナ１１２Fで受信した受信信号ＲＦＳFがＦＭ用ＲＦ処理ユニット１３３へ送られる。そして、ＦＭ用ＲＦ処理ユニット１３３が、制御ユニット１９０Ａから送られた選局指令ＣＳＬ21に従ってデータ希望局の中間周波数帯の信号ＩＦＤFDを抽出する。引き続き、ＦＭ用ＲＦ処理ユニット１３３は、当該信号ＩＦＤFDを再生処理ユニット１４０Ａの交通情報用再生処理部１４４Ａへ送る（図１及び図２参照）。
【００９６】
交通情報用再生処理部１４４Ａでは、ＦＭ用復調部２２１が、信号ＩＦＤFDの復調処理を行い、復調信号をＦＭデータ信号用復号部２２２へ送る。そして、ＦＭデータ信号用復号部２２２が、復調信号に対して、データ信号用の復号処理を施して、「道路交通情報」に関する画像データを生成する。引き続き、ＦＭデータ信号用復号部２２２は、当該画像データを情報データ切替部１４５へ送る。そして、情報データ切替部１４５は、ＦＭデータ信号用復号部２２２から送られた画像データを、第２表示ユニット１７５へ送る（図４参照）。
【００９７】
この結果、道路交通情報の取得が完了すると、ＦＭデータ放送が提供する「道路交通情報」を反映した画像が、第２表示ユニット１７５から再生表示される。
【００９８】
引き続き、ステップＳ１３において、制御ユニット１９０Ａが、再生表示する「道路交通情報」のデータ放送信号として、Ｖ−ＬＯＷデータ放送信号を選択する。このＶ−ＬＯＷデータ放送信号の選択に際して、制御ユニット１９０Ａは、ＦＭアンテナ１１２Fから送られる受信信号ＲＦＳFをＶ−ＬＯＷ用ＲＦ処理ユニット１３４へ送ることを内容とする「Ｖ−ＬＯＷデータ選択」を指定する選択制御指令ＳＬＳ2を生成し、第２選択ユニット１２２へ送る（図１参照）。また、制御ユニット１９０Ａは、かかるＶ−ＬＯＷデータ放送信号の選択に際して、Ｖ−ＬＯＷ用復号部２２４Ａから送られる画像データを第２表示ユニット１７５へ送ることを内容とする「Ｖ−ＬＯＷデータ再生選択」を指定する切替制御指令ＳＷ２を生成し、情報データ切替部１４５へ送る（図２及び図４参照）。
【００９９】
こうして「道路交通情報」のデータ放送信号として、Ｖ−ＬＯＷデータ放送信号が選択されると、ＦＭアンテナ１１２Fで受信した受信信号ＲＦＳFがＶ−ＬＯＷ用ＲＦ処理ユニット１３４へ送られる。そして、Ｖ−ＬＯＷ用ＲＦ処理ユニット１３４が、制御ユニット１９０Ａから送られた選局指令ＣＳＬ22に従ってデータ希望局の中間周波数帯の信号ＩＦＤVDを抽出する。引き続き、Ｖ−ＬＯＷ用ＲＦ処理ユニット１３４は、当該信号ＩＦＤVDを再生処理ユニット１４０Ａの交通情報用再生処理部１４４Ａへ送る（図１及び図２参照）。
【０１００】
交通情報用再生処理部１４４Ａでは、Ｖ−ＬＯＷ用復調部２２３が、信号ＩＦＤVDの復調処理を行い、復調信号をＶ−ＬＯＷ用復号部２２４Ａへ送る。そして、Ｖ−ＬＯＷ用復号部２２４Ａが、復調信号に対して、データ信号用の復号処理を施して、Ｖ−ＬＯＷデータ放送信号の内容に「道路交通情報」が含まれているか否かのチェックを行い、状態報告ＳＴＶを生成する。引き続き、Ｖ−ＬＯＷ用復号部２２４Ａが、当該状態情報ＳＴＶを制御ユニット１９０Ａへ送る。
【０１０１】
次いで、ステップＳ１４において、制御ユニット１９０Ａが、Ｖ−ＬＯＷ用復号部２２４Ａから送られた状態報告ＳＴＶの内容から、Ｖ−ＬＯＷデータ放送信号の内容に「道路交通情報」が含まれているか否かを判定する。この判定の結果が判定の結果が否定的であった場合（ステップＳ１４：Ｎ）には、処理はステップＳ１１へ戻る。
【０１０２】
一方、ステップＳ１４における判定の結果が肯定的であった場合（ステップＳ１４：Ｙ）には、Ｖ−ＬＯＷ用復号部２２４Ａが生成した「道路交通情報」に関する画像データが、情報データ切替部１４５へ送られる。そして、情報データ切替部１４５は、Ｖ−ＬＯＷ用復号部２２４Ａから送られた画像データを、第２表示ユニット１７５へ送る（図２参照）。
【０１０３】
この結果、Ｖ−ＬＯＷデータ放送が提供する「道路交通情報」を反映した画像が、第２表示ユニット１７５から再生表示される。こうしてＶ−ＬＯＷデータ放送が提供する「道路交通情報」を反映した画像が再生表示されると、ステップＳ１４における判定の結果が否定的となるまで、ステップＳ１４の処理が繰り返される。
【０１０４】
以後、上記のステップＳ１１〜Ｓ１４の処理が繰り返されて、第１実施形態における「道路交通情報」の切り替え制御処理が行われる。
【０１０５】
以上説明したように、第１実施形態では、利用者が「ＵＨＦデジタルＴＶ放送」を指定すると、制御ユニット１９０Ａが、ＵＨＦアンテナ１１１U4から送られる受信信号ＲＦＳU4をＴＶ用ＲＦ処理ユニット１３１4へ送ることを内容とする選択制御指令ＳＬＳ1を生成し、第１選択ユニット１２１へ送る。また、「ＵＨＦデジタルＴＶ放送」の指定に際して、制御ユニット１９０Ａは、ＴＶ用ＲＦ処理ユニット１３１j（ｊ＝１，…，３）から送られる信号ＩＦＤUj、及び、ＴＶ用ＲＦ処理ユニット１３１4から送られる信号ＩＦＤTを合成すべきことを指定する合成制御指令ＳＮＣを生成し、ＴＶ用再生処理部１４１の信号合成部２１１へ送る。さらに、制御ユニット１９０Ａは、「ＵＨＦデジタルＴＶ放送」の指定に際して、ＴＶ用再生処理部１４１から送られる音声データを音出力ユニット１６０へ送ることを内容とする切替制御指令ＳＷ１を生成し、音声データ切替部１４３へ送る。この結果、「ＵＨＦデジタルＴＶ放送」の選局設定指定された希望局の放送音声が、音出力ユニット１６０から再生出力されるとともに、当該希望局の放送映像が、第１表示ユニット１７０から再生表示される。
【０１０６】
また、第１実施形態では、利用者が「Ｖ−ＬＯＷデジタルＴＶ放送」を指定すると、制御ユニット１９０Ａが、ＦＭアンテナ１１２Fから送られる受信信号ＲＦＳFをＴＶ用ＲＦ処理ユニット１３１4へ送ることを内容とする選択制御指令ＳＬＳ1を生成し、第１選択ユニット１２１へ送る。また、「Ｖ−ＬＯＷデジタルＴＶ放送」の指定に際して、制御ユニット１９０Ａは、ＴＶ用ＲＦ処理ユニット１３１4から送られる信号ＩＦＤTのみを再生処理すべきことを指定する合成制御指令ＳＮＣを生成し、ＴＶ用再生処理部１４１の信号合成部２１１へ送る。さらに、制御ユニット１９０Ａは、「Ｖ−ＬＯＷデジタルＴＶ放送」の指定に際して、ＴＶ用再生処理部１４１から送られる音声データを音出力ユニット１６０へ送ることを内容とする切替制御指令ＳＷ１を生成し、音声データ切替部１４３へ送る。この結果、「Ｖ−ＬＯＷデジタルＴＶ放送」の選局設定指定された希望局の放送音声が、音出力ユニット１６０から再生出力されるとともに、当該希望局の放送映像が、第１表示ユニット１７０から再生表示される。
【０１０７】
さらに、第１実施形態では、利用者が「ＦＭ音声放送」を指定すると、制御ユニット１９０Ａが、ＦＭアンテナ１１２Fから送られる受信信号ＲＦＳFをＦＭ用ＲＦ処理ユニット１３２へ送ることを内容とする選択制御指令ＳＬＳ1を生成し、第１選択ユニット１２１へ送る。また、「ＦＭ音声放送」の指定に際して、制御ユニット１９０Ａは、ＦＭ音声用再生処理部１４２から送られる音声データを音出力ユニット１６０へ送ることを内容とする切替制御指令ＳＷ１を生成し、音声データ切替部１４３へ送る。この結果、「ＦＭ音声放送」の選局設定指定された希望局の放送音声が、音出力ユニット１６０から再生出力される。
【０１０８】
このように第１実施形態では、「ＵＨＦデジタルＴＶ放送」の指定時には、ＵＨＦアンテナを利用してＵＨＦ帯域のデジタル放送を受信処理し、「Ｖ−ＬＯＷデジタルＴＶ放送」又は「ＦＭ音声放送」の指定時には、自動車等の車両に搭載されたＦＭ受信装置のＦＭアンテナを利用して、ＶＨＦ帯域のデジタル放送波又はＦＭ放送波を受信処理する。このため、車両に装備されるＦＭアンテナ及びチューナを利用することにより、装置の規模が大きくなることを抑えるとともに、装置の製造コストが高価になることを抑えることができる。
【０１０９】
また、第１実施形態では、第１選択ユニット１２１を設けて、ＦＭアンテナから送られる受信信号ＲＦＳFを、ＴＶ用ＲＦ処理ユニット１３１4及びＦＭ用ＲＦ処理ユニット１３２に分配しないようにしている。このため、「Ｖ−ＬＯＷデジタルＴＶ放送」又は「ＦＭ音声放送」の設定時に、受信信号ＲＦＳFの受信感度を維持することができる。
【０１１０】
また、第１実施形態では、ＦＭアンテナ１１２Fが受信した受信信号ＲＦＳFに基づいて、ＦＭデータ放送が提供する「道路交通情報」及びＶ−ＬＯＷデータ放送が提供する「道路交通情報」のいずれか一方を選択して再生表示する。かかる再生表示の選択に際して、制御ユニット１９０Ａは、Ｖ−ＬＯＷデータ放送信号の内容に「道路交通情報」が含まれている場合には、Ｖ−ＬＯＷデータ放送が提供する「道路交通情報」を選択する。
【０１１１】
このため、自動車等の車両に搭載されたＦＭ受信装置のＦＭアンテナを利用して、情報量の多いＶ−ＬＯＷデータ放送が提供する道路交通情報を優先して再生表示することができる。
【０１１２】
したがって、第１実施形態によれば、簡易な構成で、ＵＨＦ帯域及びＶＨＦ帯域の放送波を受信し、適切な受信処理を行うことができる。
【０１１３】
［第２実施形態］
次に、本発明の第２実施形態を、図６〜図８を主に参照して説明する。
【０１１４】
＜構成＞
図６には、第２実施形態に係る放送受信装置１００Ｂの概略的な構成がブロック図にて示されている。図６に示されるように、放送受信装置１００Ｂは、上述した第１実施形態に係る放送受信装置１００Ａと比べて、再生処理ユニット１４０Ａに代えて再生処理ユニット１４０Ｂを備える点、記憶ユニット１８０を更に備える点、及び、制御ユニット１９０Ａに代えて制御ユニット１９０Ｂを備える点が異なっている。以下、こうした相違点に主に着目して説明する。
【０１１５】
ここで、記憶ユニット１８０及び制御ユニット１９０Ｂの説明に先立って、再生処理ユニット１４０Ｂの構成の詳細について説明する。上記の再生処理ユニット１４０Ｂは、図７に示されるように、上述した再生処理ユニット１４０Ａと比べて、Ｖ−ＬＯＷ用復号部２２４Ａに代えてＶ−ＬＯＷ用復号部２２４Ｂを備える点が異なっている。
【０１１６】
上記のＶ−ＬＯＷ用復号部２２４Ｂは、Ｖ−ＬＯＷ用復調部２２３から送られた復調信号を受ける。Ｖ−ＬＯＷ用復号部２２４Ｂは、当該復調信号を受けると、データ信号用の復号処理を施して、Ｖ−ＬＯＷデータ放送信号の内容に「道路交通情報」が含まれているか否かのチェックを行う。そして、Ｖ−ＬＯＷ用復号部２２４Ｂは、Ｖ−ＬＯＷデータ放送信号の内容に「道路交通情報」が含まれているときに、復号処理の結果に基づいて「道路交通情報」に関する画像データを生成する。すなわち、Ｖ−ＬＯＷ用復号部２２４Ｂは、上述したＶ−ＬＯＷ用復号部２２４Ａと比べて、Ｖ−ＬＯＷデータ放送信号の内容に「道路交通情報」が含まれているか否かのチェックの結果を、制御ユニット１９０Ｂへ送らない点が異なっている。
【０１１７】
図６に戻り、上記の記憶ユニット１８０は、ハードディスク装置等の不揮発性の記憶装置を備えて構成され、放送受信装置１００Ｂにおいて利用されるエリア情報が記憶される。記憶ユニット１８０には、制御ユニット１９０Ｂがアクセスできるようになっている。このエリア情報には、Ｖ−ＬＯＷ帯域における「道路交通情報」を内容とするデータ放送が再生可能なエリアの情報が含まれている。すなわち、記憶ユニット１８０は、記憶部としての機能を果たすようになっている。
【０１１８】
上記の制御ユニット１９０Ｂは、放送受信装置１００Ｂの全体の動作を制御する。この制御ユニット１９０Ｂには、車両に搭載された位置検出センサ２１０と接続されている。この位置検出センサ２１０は、位置検出部としての機能を果たし、車両の現在位置を検出する。こうして検出された車両の現在位置情報は、制御ユニット１９０Ｂへ送られる。
【０１１９】
制御ユニット１９０Ｂは、位置検出センサ２１０から送られた車両の現在位置情報を取得する。そして、制御ユニット１９０Ｂは、当該車両の現在位置情報及び記憶ユニット１８０内のエリア情報に基づいて、現在位置が、Ｖ−ＬＯＷ帯域における「道路交通情報」を内容とするデータ放送が再生可能なエリアに含まれているか否かを判定する。
【０１２０】
引き続き、制御ユニット１９０Ｂは、当該判定の結果が否定的であった場合には、「ＦＭデータ選択」を指定した選択制御指令ＳＬＳ2を生成して、第２選択ユニット１２２へ送るとともに、「ＦＭデータ放送信号に基づく道路交通情報」を表示すべきことを指定した切替制御指令ＳＷ２を生成して、再生処理ユニット１４０Ｂへ送る。また、制御ユニット１９０Ｂは、当該判定の結果が肯定的であった場合には、「Ｖ−ＬＯＷデータ選択」を指定した選択制御指令ＳＬＳ2を生成して、第２選択ユニット１２２へ送るとともに、「Ｖ−ＬＯＷデータ放送信号に基づく道路交通情報」を表示すべきことを指定した切替制御指令ＳＷ２を生成して、再生処理ユニット１４０Ｂへ送る。
【０１２１】
また、制御ユニット１９０Ｂは、入力ユニット１５０から送られた入力データを受ける。そして、制御ユニット１９０Ｂは、入力データの内容が「ＵＨＦデジタルＴＶ放送」、「Ｖ−ＬＯＷデジタルＴＶ放送」又は「ＦＭ音声放送」を指定した放送波設定指定であった場合には、上述した制御ユニット１９０Ａと同様の選択制御指令ＳＬＳ1を生成して、第１選択ユニット１２１へ送るとともに、上述した制御ユニット１９０Ａと同様の合成制御指令ＳＮＣ及び切替制御指令ＳＷ１を生成して、再生処理ユニット１４０Ｂへ送る。
【０１２２】
また、制御ユニット１９０Ｂは、入力ユニット１５０から送られた入力データの内容が選局設定指定であった場合には、上述した制御ユニット１９０Ａと同様に、指定された希望局に対応する選局指令ＣＳＬを生成して、選局処理を行うべきＲＦ処理ユニットへ送る。
【０１２３】
すなわち、制御ユニット１９０Ｂは、制御部としての機能を果たすようになっている。制御ユニット１９０Ｂが実行する制御処理の詳細については、後述する。
【０１２４】
＜動作＞
以上のようにして構成された放送受信装置１００Ｂの動作について、ＦＭデータ放送及びＶ−ＬＯＷデータ放送が提供する「道路交通情報」の切り替え制御処理に主に着目して説明する。
【０１２５】
なお、利用者の「放送波設定指定」に対応した「ＵＨＦデジタルＴＶ放送」、「Ｖ−ＬＯＷデジタルＴＶ放送」及び「ＦＭ音声放送」の再生処理は、上述した第１実施形態に係る放送受信装置１００Ａの動作と同様である。
【０１２６】
《「道路交通情報」の切り替え制御処理》
ＦＭデータ放送及びＶ−ＬＯＷデータ放送が提供する「道路交通情報」の切り替え制御処理について説明する。
【０１２７】
前提として、制御ユニット１９０Ｂは、位置検出センサ２１０から送られる車両の現在位置情報を、定期的に取得するものとする。また、当初においては、放送受信装置１００Ｂでは、制御ユニット１９０Ｂは、再生表示する「道路交通情報」のデータ放送信号として、ＦＭデータ放送信号及びＶ−ＬＯＷデータ放送信号のいずれか一方を選択しているものとする。
【０１２８】
このような状況のもとで、図８に示されるように、まず、ステップＳ２１において、制御ユニット１９０Ｂが、車両の現在位置情報及び記憶ユニット１８０内のエリア情報に基づいて、現在位置が、Ｖ−ＬＯＷ帯域における「道路交通情報」を内容とするデータ放送が再生可能なエリアに含まれているか否かを判定する。この判定の結果が肯定的であった場合（ステップＳ２１：Ｙ）には、処理はステップＳ２２へ進む。
【０１２９】
ステップＳ２２では、制御ユニット１９０Ｂが、現時点のデータ放送信号の選択が「Ｖ−ＬＯＷデータ放送信号」であるか否かを判定する。この判定の結果が否定的であった場合（ステップＳ２２：Ｎ）には、処理はステップＳ２３へ進む。このステップＳ２３では、制御ユニット１９０Ｂが、再生表示する「道路交通情報」のデータ放送信号として、Ｖ−ＬＯＷデータ放送信号を選択する。
【０１３０】
こうしてＶ−ＬＯＷデータ放送信号が選択された状態では、Ｖ−ＬＯＷデータ放送が提供する「道路交通情報」を反映した画像が、第２表示ユニット１７５から再生表示される。この後、処理はステップＳ２１へ戻る。また、ステップＳ２２における判定の結果が肯定的であった場合（ステップＳ２２：Ｙ）にも、処理はステップＳ２１へ戻る。
【０１３１】
一方、上述したステップＳ２１における判定の結果が否定的であった場合（ステップＳ２１：Ｎ）には、処理はステップＳ２４へ進む。このステップＳ２４では、制御ユニット１９０Ｂが、現時点のデータ放送信号の選択が「ＦＭデータ放送信号」であるか否かを判定する。この判定の結果が否定的であった場合（ステップＳ２４）には、処理はステップＳ２５へ進む。このステップＳ２５では、制御ユニット１９０Ｂが、再生表示する「道路交通情報」のデータ放送信号として、ＦＭデータ放送信号を選択する。
【０１３２】
こうしてＦＭデータ放送信号が選択された状態では、ＦＭデータ放送が提供する「道路交通情報」を反映した画像が、第２表示ユニット１７５から再生表示される。この後、処理はステップＳ２１へ戻る。また、ステップＳ２４における判定の結果が肯定的であった場合（ステップＳ２４：Ｙ）にも、処理はステップＳ２１へ戻る。
【０１３３】
以後、上記のステップＳ２１〜Ｓ２５の処理が繰り返されて、第２実施形態における「道路交通情報」の切り替え制御処理が行われる。
【０１３４】
以上説明したように、第２実施形態では、上述した第１実施形態の場合と同様にして、「ＵＨＦデジタルＴＶ放送」の指定時には、ＵＨＦアンテナを利用してＵＨＦ帯域のデジタル放送を受信処理し、「Ｖ−ＬＯＷデジタルＴＶ放送」又は「ＦＭ音声放送」の指定時には、自動車等の車両に搭載されたＦＭ受信装置のＦＭアンテナを利用して、ＶＨＦ帯域のデジタル放送波又はＦＭ放送波を受信処理する。このため、車両に装備されるＦＭアンテナ及びチューナを利用することにより、装置の規模が大きくなることを抑えるとともに、装置の製造コストが高価になることを抑えることができる。
【０１３５】
また、第２実施形態では、上述した第１実施形態の場合と同様に、第１選択ユニット１２１を設けて、ＦＭアンテナから送られる受信信号ＲＦＳFを、ＴＶ用ＲＦ処理ユニット１３１4及びＦＭ用ＲＦ処理ユニット１３２に分配しないようにしている。このため、「Ｖ−ＬＯＷデジタルＴＶ放送」又は「ＦＭ音声放送」の設定時に、受信信号ＲＦＳFの受信感度を維持することができる。
【０１３６】
また、第２実施形態では、ＦＭアンテナ１１２Fが受信した受信信号ＲＦＳFに基づいて、ＦＭデータ放送が提供する「道路交通情報」及びＶ−ＬＯＷデータ放送が提供する「道路交通情報」のいずれか一方を選択して再生表示する。かかる再生表示の選択に際して、制御ユニット１９０Ｂは、現在位置が、Ｖ−ＬＯＷ帯域における「道路交通情報」を内容とするデータ放送が再生可能なエリアに含まれている場合には、Ｖ−ＬＯＷデータ放送が提供する「道路交通情報」を選択する。
【０１３７】
このため、第１実施形態と同様に、自動車等の車両に搭載されたＦＭ受信装置のＦＭアンテナを利用して、情報量の多いＶ−ＬＯＷデータ放送が提供する道路交通情報を優先して再生表示することができる。
【０１３８】
したがって、第２実施形態によれば、上述した第１実施形態と同様に、簡易な構成で、ＵＨＦ帯域及びＶＨＦ帯域の放送波を受信し、適切な受信処理を行うことができる。
【０１３９】
［実施形態の変形］
本発明は、上記の実施形態に限定されるものではなく、様々な変形が可能である。
【０１４０】
例えば、上記の第１及び第２実施形態では、「ＵＨＦデジタルＴＶ放送」の再生処理に際しては、４チューナ構成を採用したが、２チューナ構成を採用するようにしてもよい。この場合には、２個のＵＨＦアンテナ１１１U2，１１１U3、及び、２個のＴＶ用ＲＦ処理ユニット１３１2，１３１3，を、放送受信装置の構成要素から省略することができる。
【０１４１】
また、「ＵＨＦデジタルＴＶ放送」の再生処理に際してのチューナ構成として、１チューナ構成を採用するようにしてもよい。この場合には、３個のＵＨＦアンテナ１１１U1，１１１U2，１１１U3、及び、３個のＴＶ用ＲＦ処理ユニット１３１1，１３１2，１３１3，を、放送受信装置の構成要素から省略することができる。
【０１４２】
また、上記の第１及び第２実施形態では、ＦＭデータ放送又はＶ−ＬＯＷデータ放送が提供する「道路交通情報」を再生表示することとしたが、当該「道路交通情報」の再生表示機能を省略するようにしてもよい。この場合には、第２選択ユニット１２２、ＦＭ用ＲＦ処理ユニット１３３、Ｖ−ＬＯＷ用ＲＦ処理ユニット１３４、交通情報用再生処理部、情報データ切替部及び第２表示ユニットを、放送受信装置の構成要素から省略することができる。こうした変形の構成を採用した場合には、第１実施形態に係る放送受信装置の構成と、第２実施形態に係る放送受信装置の構成とが同一となる。
【０１４３】
また、上記の第１及び第２実施形態では、「道路交通情報」を担ったデータ放送信号を受信して処理することとしたが、受信処理するデータ放送信号としては、「道路交通情報」以外の情報であってもよい。
【０１４４】
また、上記の第１及び第２実施形態においては、車両に搭載される放送受信装置に本発明を適用したが、車両以外の他の移動体に配置される放送受信装置にも本発明を適用することもできるし、スマートフォン等の携帯端末装置に配置される放送受信装置にも本発明を適用することができる。
【０１４５】
なお、上記の制御ユニットの一部又は全部を中央処理装置（ＣＰＵ：Central Processing Unit）等を備えた演算手段としてのコンピュータとして構成し、予め用意されたプログラムを当該コンピュータで実行することにより、上記の実施形態における制御ユニットの機能を実現するようにしてもよい。このプログラムはハードディスク、ＣＤ−ＲＯＭ、ＤＶＤ等のコンピュータで読み取り可能な記録媒体に記録され、当該コンピュータによって記録媒体から読み出されて実行される。また、このプログラムは、ＣＤ−ＲＯＭ、ＤＶＤ等の可搬型記録媒体に記録された形態で取得されるようにしてもよいし、インターネットなどのネットワークを介した配信の形態で取得されるようにしてもよい。
【符号の説明】
【０１４６】
１００Ａ，１００Ｂ  …  放送受信装置
１３１4             …  ＴＶ用ＲＦ処理ユニット（第１選局処理部）
１３２              …  ＦＭ用ＲＦ処理ユニット（第２選局処理部）
１３３              …  ＦＭ用ＲＦ処理ユニット（第３選局処理部）
１３４              …  Ｖ−ＬＯＷ用ＲＦ処理ユニット（第４選局処理部）
１８０              …  記憶ユニット（記憶部）
１９０Ａ，１９０Ｂ  …  制御ユニット（制御部）
【図１】
2014204178.tif 000003
【図２】
2014204178.tif 000004
【図３】
2014204178.tif 000005
【図４】
2014204178.tif 000006
【図５】
2014204178.tif 000007
【図６】
2014204178.tif 000008
【図７】
2014204178.tif 000009
【図８】
2014204178.tif 000010